(57)【要約】【課題】アンモニア流量発信器が不調となった場合に、その異常を検知しアンモニアの過注入状態における運転の継続を防止できる脱硝装置のアンモニア注入量制御装置及び制御方法の提供である。【解決手段】脱硝装置にアンモニアを注入するアンモニア注入量制御装置において、脱硝装置入口ＮＯｘ濃度を所定酸素濃度時のＮＯｘ濃度に換算した値と脱硝装置出口ＮＯｘ濃度の設定値との偏差から脱硝率を算出してモル比に変換し、該モル比を出口ＮＯｘ濃度を考慮して補正し、該補正したモル比とＮＯｘ総量からアンモニア要求量を求め、該アンモニア要求量とアンモニアの流量指示値に基づいてアンモニア注入量を制御すると共に、ＮＯｘ総量と補正しないモル比から求めたアンモニア要求量とアンモニアの流量指示値との偏差が所定値以上であると異常を検知する回路を設けることで、周囲に報知できる。従って、アンモニア過注入等の異常な状態での運転継続を防止できる。【選択図】図１
2015075277.tif 000002
【特許請求の範囲】
【請求項１】
ボイラを含む燃焼装置の排ガスから窒素酸化物を除去する脱硝装置に、還元剤としてアンモニアを注入するアンモニア注入量制御装置において、
前記脱硝装置入口の窒素酸化物濃度の測定値を所定の酸素濃度時の窒素酸化物濃度に換算した入口換算値と脱硝装置出口の窒素酸化物濃度の設定値との偏差から脱硝率を算出する回路と、
前記脱硝装置入口の窒素酸化物濃度の測定値と排ガス量から排ガス中の窒素酸化物の総量を求める回路と、
前記脱硝率を、予め設定された脱硝率とその脱硝率を満たすためのＮＯｘ量に対するＮＨ3量のモル比（ＮＨ3／ＮＯｘ）との関係からモル比（Ｍ１）に変換する回路と、
前記モル比（Ｍ１）を、脱硝装置出口の窒素酸化物濃度の測定値を所定の酸素濃度時の窒素酸化物濃度に換算した出口換算値と脱硝装置出口の窒素酸化物濃度の設定値との偏差により補正する回路と、
補正されたモル比（Ｍ２）と前記排ガス中の窒素酸化物の総量から窒素酸化物の還元に必要なアンモニア要求量（Ａ）を求める回路と、
該アンモニア要求量（Ａ）と脱硝装置に注入されるアンモニアの流量指示値との偏差からアンモニア注入量を制御する回路と
を備え、
更に、前記モル比（Ｍ１）と前記排ガス中の窒素酸化物の総量から窒素酸化物の還元に必要なアンモニア要求量（Ｂ）を求める回路と、
該アンモニア要求量（Ｂ）とアンモニアの流量指示値との偏差が所定値以上であるとアンモニア流量の異常を検知する回路と
を備えたことを特徴とするアンモニア注入量制御装置。
【請求項２】
ボイラを含む燃焼装置の排ガスから窒素酸化物を除去する脱硝装置に、還元剤としてアンモニアを注入するアンモニア注入量制御方法において、
脱硝装置入口の窒素酸化物濃度を測定し、該測定値を所定の酸素濃度時の窒素酸化物濃度に換算し、
該入口換算値と脱硝装置出口の窒素酸化物濃度の設定値とに基づいて脱硝率を算出し、
前記脱硝率を、予め設定された脱硝率とその脱硝率を満たすためのＮＯｘ量に対するＮＨ3量のモル比（ＮＨ3／ＮＯｘ）との関係からモル比（Ｍ１）に変換し、
脱硝装置出口の窒素酸化物濃度を測定し、該測定値を所定の酸素濃度時の窒素酸化物濃度に換算し、
該出口換算値と脱硝装置出口の窒素酸化物濃度の設定値との偏差により前記モル比（Ｍ１）を補正すると共に、前記脱硝装置入口の窒素酸化物濃度の測定値と排ガス量から排ガス中の窒素酸化物の総量を求め、
前記補正されたモル比（Ｍ２）と前記排ガス中の窒素酸化物の総量から窒素酸化物の還元に必要なアンモニア要求量（Ａ）を求め、
該アンモニア要求量（Ａ）と脱硝装置に注入されるアンモニアの流量指示値との偏差からアンモニア注入量を制御すると共に、
前記モル比（Ｍ１）と排ガス中の窒素酸化物の総量から窒素酸化物の還元に必要なアンモニア要求量（Ｂ）を求め、
該アンモニア要求量（Ｂ）とアンモニアの流量指示値との偏差が所定値以上であるとアンモニア流量の異常を検知することを特徴とするアンモニア注入量制御方法。
【発明の詳細な説明】
【技術分野】
【０００１】
本発明は、脱硝触媒を内部に設置した脱硝装置に、窒素酸化物の還元剤としてアンモニアを注入するアンモニア注入量制御装置及びアンモニア注入量制御方法に関し、排ガス中に含まれる窒素酸化物を、触媒を用いたアンモニア接触還元法により除去するのに好適なアンモニア注入量制御装置及びアンモニア注入量制御方法に関する。
【背景技術】
【０００２】
火力発電所におけるボイラ及びガスタービン等の燃焼装置から発生する排ガスは、脱硝触媒層を備えた脱硝装置に導かれて排ガス中の窒素酸化物（ＮＯｘ）等を除去した後、系外に排出されるが、上記脱硝装置入口の排ガス中に還元剤としてアンモニア（ＮＨ3）が注入される。  
【０００３】
図２には、従来のガスタービン排ガス用ボイラの排ガス用脱硝装置のアンモニア注入量制御方法を示し、脱硝装置出口のＮＯｘ濃度を一定に制御する方式の制御系統図を示している。このアンモニア注入量制御装置５０は以下のような回路を備えている。
【０００４】
図２において、まず、排ガス流量計９からの排ガス流量信号９ａと脱硝装置の入口に設置されたＮＯｘ濃度計１０からの実測値である入口ＮＯｘ濃度信号１０ａ（実際に測定されるＮＯｘ濃度）に基づいて乗算器３により排ガス中のＮＯｘ総量が算出される。また、脱硝装置の入口のＮＯｘ濃度計１１（ＮＯｘ濃度計１０と同じものでもよい）からは、実際に測定されるＮＯｘ濃度を酸素濃度１６％に換算した場合のＮＯｘ濃度の入口ＮＯｘ濃度信号１１ａが出力される。酸素濃度１６％に換算した場合のＮＯｘ濃度（１６％Ｏ2）は、実際に測定されるＮＯｘ濃度（実Ｏ2）と実際の酸素濃度（Ｏ2濃度）から、以下の式により求められる。なお、下記数値の「２１」は、通常の空気のＯ2濃度（％）である。
ＮＯｘ濃度（１６％Ｏ2）＝ＮＯｘ濃度（実Ｏ2）×（２１−１６）／（２１−Ｏ2濃度）
【０００５】
排ガス中のＮＯｘ濃度（実Ｏ2）は同じＮＯｘ量でもＯ2濃度により変わるため、一定の酸素濃度を基準として評価するために、酸素濃度１６％に換算した場合のＮＯｘ濃度を使用する。大気汚染防止法において、ＮＯｘ濃度は酸素濃度を補正した値で排出基準が決められており、補正する酸素濃度は煤煙の発生施設により異なる。例えば、ガスタービン排ガス用ボイラの排ガスは１６％Ｏ2濃度であり、このＯ2濃度に補正した場合のＮＯｘ濃度を基準としている。なお、他の燃焼装置からの排ガスにおいては、それぞれの所定の酸素濃度に換算を行う。例えば、石炭炊きボイラの排ガスでは６％Ｏ2濃度である。
【０００６】
そして、この入口ＮＯｘ濃度信号１１ａと出口ＮＯｘ濃度設定器２の出口ＮＯｘ濃度設定値信号２ａに基づいて脱硝率が算出される。脱硝率とその脱硝率を満たすためのＮＯｘ量に対するＮＨ3量のモル比（以下、モル比（ＮＨ3／ＮＯｘ）という）との関係は予め関数として設定され、制御装置５０に記憶されている。なお、モル比は、ほぼ（脱硝率／１００）に相当する。そして、信号発生器１９では、脱硝率がモル比（ＮＨ3／ＮＯｘ）に変換され、切換器１１５に入力される。
【０００７】
そして、前記ＮＯｘ総量信号１３からのＮＯｘ総量と前記モル比からアンモニア要求量信号２１が求められる。このアンモニア要求量信号２１は、脱硝装置出口のＮＯｘ濃度に関し、出口ＮＯｘ濃度設定器２の出口ＮＯｘ濃度（設定値）に基づいて求められるもので、実際に測定される出口ＮＯｘ濃度を考慮していない場合のアンモニア要求量の信号である。
【０００８】
更に、出口ＮＯｘ濃度設定器２の出口ＮＯｘ濃度設定値信号２ａと脱硝装置の出口に設置されたＮＯｘ濃度計１からの出口ＮＯｘ濃度信号（実際に測定されるＮＯｘ濃度を酸素濃度１６％に換算した場合のＮＯｘ濃度の出口ＮＯｘ濃度信号）１ａの偏差は比例積分演算器１７を介して、フィードバック信号として加算器２３に供給され、前記信号発生器１９からのモル比の入力信号を補正した後、切換器１５に入力される。そして、前記ＮＯｘ総量信号１３からのＮＯｘ総量と前記補正されたモル比からアンモニア要求量信号１４が求められる。
【０００９】
このアンモニア要求量信号１４は、脱硝装置出口のＮＯｘ濃度計１からの実測値を考慮したアンモニア要求量の信号である。本明細書中、脱硝装置の出口ＮＯｘ濃度（実測値から所定の酸素濃度時のＮＯｘ濃度に換算した値）を一定に制御する方法を出口ＮＯｘ一定制御と言う。
【００１０】
一方、前記アンモニア要求量信号２１は出口ＮＯｘ濃度設定値（実測値や実測値から換算された値ではない）から算出されたアンモニア要求量信号であることから、出口ＮＯｘ一定制御を含まない場合のアンモニア要求量の信号である。
【００１１】
そして、出口ＮＯｘ一定制御を含むアンモニア要求量信号１４とアンモニア流量発信器１２のアンモニア流量指示値信号１２ａとの偏差から比例積分演算器１７によりアンモニア流量調節弁６の開度が算出されてアンモニア流量調節開度指令４１がなされ、配管５から脱硝装置入口ダクトに注入されるアンモニア量が制御される。
【００１２】
なお、出口ＮＯｘ濃度計１の校正時や異常時には、上記アンモニア注入量制御は、入口ＮＯｘ濃度計１１とモル比手動設定器２５の制御に切り替えを行い、出口ＮＯｘ一定制御を含まない場合のアンモニア要求量信号２１を、出口ＮＯｘ一定制御を含むアンモニア要求量信号１４の代わりに使用する。この場合の信号ルートは以下のようになる。モル比手動設定器２５からの信号２５ａが切換器１１５に入力されて、このモル比とＮＯｘ総量信号１３からのＮＯｘ総量とが乗算器３に入力されることでアンモニア要求量信号２１が求められる。
【００１３】
特許文献１には、出口ＮＯｘ一定制御によるアンモニア注入量制御方法が開示されており、ボイラの負荷変動が生じた場合に生じる脱硝装置出口のＮＯｘ濃度のハンチングを防ぐために、ボイラ負荷信号に対しアンモニアモル比のバイアスが上昇するときは瞬時に増バイアスを加えて応答遅れを防ぎ、アンモニアモル比のバイアスが降下するときは徐々に減バイアスを加えてアンモニア流量の変動を抑える構成としている。
【先行技術文献】
【特許文献】
【００１４】
【特許文献１】特開２００１−１０４７５５号公報
【特許文献２】特開２０１０−１３３３５４号公報
【発明の概要】
【発明が解決しようとする課題】
【００１５】
最近の火力発電所のプラントでは、コスト低減のために脱硝装置出口のＮＨ3計を設置しないことが多く、その場合、アンモニアの過注入によるアンモニア流量異常を検知することができず、問題となっている。
【００１６】
特許文献２には、還元触媒の排ガス下流側に設けたＮＯｘ及びアンモニアに感応するセンサのセンサ値を所定の閾値と比較してアンモニアなどの還元剤噴射装置からの噴射量の異常を判定する噴射量異常判定部を設けた還元剤噴射制御装置が開示されている。具体的にはＮＯｘセンサによってＮＯｘ及びアンモニアを検知している。
【００１７】
特許文献２の構成によれば、ＮＯｘセンサによってＮＯｘが検知されれば還元剤の不足を意味し、ＮＯｘセンサによってアンモニアが検知されれば還元剤の過剰を意味しており、これらの検知量が閾値との比較により判別される。
【００１８】
しかし、計器の異常により誤った流量検知がされた場合は、実際は正常であるにもかかわらず、異常と判断されてしまうこともある。  
そして、上述のような従来技術において、アンモニア流量発信器（例えば、特許文献２の還元剤噴射装置４０）が不調となった場合は、その指示値の信頼性が低くなって正常な制御が行われなくなってしまう。
【００１９】
本発明の課題は、上述のような従来技術の問題に対して、脱硝装置に、排ガス中のＮＯｘの還元剤としてアンモニアを注入するアンモニア注入量制御装置及びアンモニア注入量制御方法において、アンモニア流量発信器に不具合が生じた場合に、その異常を検知しアンモニアの過注入状態における運転の継続を防止できるアンモニア注入量制御装置及びアンモニア注入量制御方法を提供することである。
【課題を解決するための手段】
【００２０】
上記本発明の課題は、下記の構成を採用することにより達成できる。  
請求項１記載の発明は、ボイラを含む燃焼装置の排ガスから窒素酸化物を除去する脱硝装置に、還元剤としてアンモニアを注入するアンモニア注入量制御装置において、前記脱硝装置入口の窒素酸化物濃度の測定値を所定の酸素濃度時の窒素酸化物濃度に換算した入口換算値と脱硝装置出口の窒素酸化物濃度の設定値との偏差から脱硝率を算出する回路と、前記脱硝装置入口の窒素酸化物濃度の測定値と排ガス量から排ガス中の窒素酸化物の総量を求める回路と、前記脱硝率を、予め設定された脱硝率とその脱硝率を満たすためのＮＯｘ量に対するＮＨ3量のモル比（ＮＨ3／ＮＯｘ）との関係からモル比（Ｍ１）に変換する回路と、前記モル比（Ｍ１）を、脱硝装置出口の窒素酸化物濃度の測定値を所定の酸素濃度時の窒素酸化物濃度に換算した出口換算値と脱硝装置出口の窒素酸化物濃度の設定値との偏差により補正する回路と、補正されたモル比（Ｍ２）と前記排ガス中の窒素酸化物の総量から窒素酸化物の還元に必要なアンモニア要求量（Ａ）を求める回路と、該アンモニア要求量（Ａ）と脱硝装置に注入されるアンモニアの流量指示値との偏差からアンモニア注入量を制御する回路とを備え、更に、前記モル比（Ｍ１）と前記排ガス中の窒素酸化物の総量から窒素酸化物の還元に必要なアンモニア要求量（Ｂ）を求める回路と、該アンモニア要求量（Ｂ）とアンモニアの流量指示値との偏差が所定値以上であるとアンモニア流量の異常を検知する回路とを備えたアンモニア注入量制御装置である。
【００２１】
請求項２記載の発明は、ボイラを含む燃焼装置の排ガスから窒素酸化物を除去する脱硝装置に、還元剤としてアンモニアを注入するアンモニア注入量制御方法において、脱硝装置入口の窒素酸化物濃度を測定し、該測定値を所定の酸素濃度時の窒素酸化物濃度に換算し、該入口換算値と脱硝装置出口の窒素酸化物濃度の設定値とに基づいて脱硝率を算出し、前記脱硝率を、予め設定された脱硝率とその脱硝率を満たすためのＮＯｘ量に対するＮＨ3量のモル比（ＮＨ3／ＮＯｘ）との関係からモル比（Ｍ１）に変換し、脱硝装置出口の窒素酸化物濃度を測定し、該測定値を所定の酸素濃度時の窒素酸化物濃度に換算し、該出口換算値と脱硝装置出口の窒素酸化物濃度の設定値との偏差により前記モル比（Ｍ１）を補正すると共に、前記脱硝装置入口の窒素酸化物濃度の測定値と排ガス量から排ガス中の窒素酸化物の総量を求め、前記補正されたモル比（Ｍ２）と前記排ガス中の窒素酸化物の総量から窒素酸化物の還元に必要なアンモニア要求量（Ａ）を求め、該アンモニア要求量（Ａ）と脱硝装置に注入されるアンモニアの流量指示値との偏差からアンモニア注入量を制御すると共に、前記モル比（Ｍ１）と排ガス中の窒素酸化物の総量から窒素酸化物の還元に必要なアンモニア要求量（Ｂ）を求め、該アンモニア要求量（Ｂ）とアンモニアの流量指示値との偏差が所定値以上であるとアンモニア流量の異常を検知するアンモニア注入量制御方法である。
【００２２】
（作用）
本発明によれば、排ガス中のＮＯｘの還元に必要なアンモニア要求量とアンモニア流量指示値の偏差が所定値以上となった場合にその異常を検知し、警報を発することにより、周囲に報知することができる。
なお、アンモニア流量計などのアンモニア流量発信器に異常が生じ、実際の流量以上の流量信号が発生した場合に、脱硝装置出口のＮＯｘ濃度の実測値を考慮したアンモニア要求量（Ａ）によりアンモニアを注入していると、実際の脱硝装置出口のＮＯｘ濃度は設定値以下に低下し、アンモニア要求量（Ａ）及びアンモニア流量も低下して、脱硝装置出口のＮＯｘ濃度は設定値付近になるように制御される。この場合、設定値に制御されるまでの間は、アンモニアが過注入の状態となる。
【００２３】
しかし、請求項１又は請求項２記載の発明によれば、計器の異常により誤った流量検知がされた場合でも、脱硝装置出口のＮＯｘ濃度の実測値を考慮せず、脱硝装置出口のＮＯｘ濃度設定値から算出されるアンモニア要求量（Ｂ）とアンモニア流量指示値の偏差を異常判定の基準とすることで、アンモニア過注入等の異常な状態での運転継続を防止できる。
【００２４】
なお、脱硝装置出口のＮＯｘ濃度の実測値を考慮したアンモニア要求量（Ａ）とアンモニア流量指示値の偏差を異常判定の基準とすると、上述のようにフィードバック制御により設定値に制御されるため、異常が検知されない場合も想定されるが、アンモニア要求量（Ｂ）とアンモニア流量指示値の偏差を異常判定の基準とすることで、フィードバック制御により偏差が小さくなる影響を受けず、確実に異常を検知できる。
【発明の効果】
【００２５】
請求項１又は請求項２記載の発明によれば、アンモニアを還元剤とする脱硝装置において、アンモニア流量発信器が不調となった場合でも、その異常を検知できるため、アンモニアの過注入状態における運転の継続を防止できる。
【図面の簡単な説明】
【００２６】
【図１】本発明の実施例のアンモニア流量制御回路を示した図である。
【図２】従来技術のアンモニア流量制御回路を示した図である。
【発明を実施するための形態】
【００２７】
以下に、本発明の実施の形態を示す。なお、下記実施例ではガスタービン排ガス用ボイラ（ＨＲＳＧ）からの排ガスに適用した場合を示しているが、石炭炊きボイラ及びその他の燃焼装置からの排ガスにも適用されることは言うまでもない。
【実施例１】
【００２８】
図１には、実施例１の排ガス用脱硝装置のアンモニア注入量制御方法を示し、脱硝装置出口ＮＯｘ濃度を一定に制御する方式の制御系統図を示している。このアンモニア注入量制御装置６０は以下のような回路を備えている。
【００２９】
図１において、まず、排ガス流量計９からの排ガス流量信号９ａと脱硝装置の入口に設置されたＮＯｘ濃度計１０からの実測値である入口ＮＯｘ濃度信号１０ａ（実Ｏ2）に基づいて乗算器３によりＮＯｘ総量が算出される。また、脱硝装置の入口のＮＯｘ濃度計１１からの入口ＮＯｘ濃度信号１１ａ（１６％Ｏ2換算値）と出口ＮＯｘ濃度設定値信号２ａに基づいて脱硝率が算出される。脱硝率とモル比（ＮＨ3／ＮＯｘ）との関係は予め関数として設定され、制御装置６０に記憶されている。そして、信号発生器１９では、脱硝率がモル比（Ｍ１）に変換され、切換器１１５に入力される。
【００３０】
そして、前記ＮＯｘ総量信号１３からのＮＯｘ総量と前記モル比（Ｍ１）からアンモニア要求量信号２１が求められる。このアンモニア要求量信号２１は、出口ＮＯｘ濃度設定値（実測値や実測値から換算された値ではない）から算出されたアンモニア要求量信号であり、上述のように出口ＮＯｘ一定制御を含まない場合のアンモニア要求量（Ｂ）の信号である。
【００３１】
更に、出口ＮＯｘ濃度設定器２の出口ＮＯｘ濃度設定値信号２ａと脱硝装置の出口に設置されたＮＯｘ濃度計１からの出口ＮＯｘ濃度信号（１６％Ｏ2換算値）１ａの偏差は比例積分演算器１７を介して、フィードバック信号として加算器２３に供給され、前記信号発生器１９からのモル比（Ｍ１）の入力信号を補正した後、切換器１５に入力される。そして、前記ＮＯｘ総量信号１３からのＮＯｘ総量と前記補正されたモル比（Ｍ２）からアンモニア要求量信号１４が求められる。このアンモニア要求量信号１４は、脱硝装置出口のＮＯｘ濃度計１からの実測値を考慮したアンモニア要求量の信号であり、上述のように出口ＮＯｘ一定制御を含むアンモニア要求量（Ａ）の信号である。
【００３２】
そして、出口ＮＯｘ一定制御を含むアンモニア要求量信号１４とアンモニア流量発信器１２からのアンモニア流量指示値信号１２ａとの偏差から比例積分演算器１７によりアンモニア流量調節弁６の開度が算出されてアンモニア流量調節開度指令４１がなされ、配管５から脱硝装置入口ダクトに注入されるアンモニア量が制御される。
【００３３】
ここで、アンモニア流量発信器１２に異常が生じ、実際の流量以上のアンモニア流量指示値信号１２ａが発生した場合、脱硝装置の出口ＮＯｘ濃度は設定値以下に低下し、出口ＮＯｘ一定制御を含むアンモニア要求量信号１４からのアンモニア要求量及びアンモニア流量も低下して、脱硝装置出口のＮＯｘ濃度は設定値付近になるように制御される。この場合、設定値に制御されるまでの間は、アンモニアが過注入の状態となる。
【００３４】
そこで、ＮＯｘ濃度計１からのフィードバック信号を含まないアンモニア要求量信号２１とアンモニア流量指示値信号１２ａとの偏差を監視し、その偏差が所定値以上となった場合はアンモニア流量偏差大の警報を発するシステムとすれば良い。
【００３５】
アンモニア要求量信号２１とアンモニア流量指示値信号１２ａとの偏差が絶対値演算器３２により絶対値に変換され、判定器３３により基準となる所定値と比較して所定値以上である場合は警報発信器３４から警報信号３４ａが出力されて警報を発する。
【００３６】
ここで、脱硝装置出口のＮＯｘ濃度の実測値を考慮したアンモニア要求量信号１４とアンモニア流量指示値信号１２ａの偏差を異常判定の基準とすると、フィードバック制御により設定値に制御されるため、異常が検知されない場合も想定されるが、そのようなことを防止できる。
【００３７】
なお、ボイラ負荷変化信号発生器３５からのボイラ負荷変化信号３５ａも考慮し、負荷変化中ではない条件で警報を発するようにすると良い。すなわち、負荷変化中である場合は前記偏差が大きくても警報は発しない。負荷変化中である場合は、追従遅れでアンモニア要求量信号２１とアンモニア流量指示値信号１２ａとの偏差が発生するため、負荷変化に応じてアンモニア要求量信号２１が変化するが、アンモニア流量指示値信号１２ａの変化は応答に遅れが出るため偏差が大きくなる。
【００３８】
従って、このように正常な運転でも偏差が発生するため、負荷変化中は除外する条件とする。負荷変化判定器３６により負荷変化中でない場合は、ボイラ負荷変化信号３５ａは発生せず警報発信器３４に入力されないが、負荷変化中である場合は負荷変化判定器３６からボイラ負荷変化信号３５ａが警報発信器３４に入力される。
【００３９】
例えば、ボイラの運用負荷帯を１００ＭＷ〜２６０ＭＷとし、アンモニア注入量を１０〜３０ｍ3Ｎ／ｈの間で変化させる。この場合、アンモニア要求量信号２１によるアンモニア要求量とアンモニア流量の偏差が６ｍ3Ｎ／ｈ以上で警報を発するようにする。なお、この警報発生の偏差の基準値（この例では６ｍ3Ｎ／ｈ）は、各負荷におけるアンモニア流量を考慮して設定される。
【００４０】
また、図示しないが、出口ＮＯｘ濃度計１の校正時や異常時には、上述のように入口ＮＯｘ濃度計１１とモル比手動設定器２５の制御に切り替えを行い、出口ＮＯｘ一定制御を含まない場合のアンモニア要求量信号２１とアンモニア流量発信器１２からのアンモニア流量指示値信号１２ａとの偏差から比例積分演算器１７によりアンモニア流量調節弁６の開度を算出し、このアンモニア流量調節開度指令４１により、アンモニア注入量が制御されるようにする。この場合も、出口ＮＯｘ一定制御を含まない場合のアンモニア要求量信号２１とアンモニア流量指示値信号１２ａとの偏差が所定値以上となった場合はアンモニア流量偏差大の警報を発するシステムとすれば良い。
【産業上の利用可能性】
【００４１】
ボイラ等の燃焼装置の排ガスから窒素酸化物を除去する脱硝装置において、窒素酸化物の還元剤であるアンモニアの注入量制御技術として利用可能性がある。
【符号の説明】
【００４２】
１  出口ＮＯｘ濃度計          ２  出口ＮＯｘ濃度設定器
３  乗算器                    ５  配管
６  アンモニア流量調節弁      ９  排ガス流量計
１０，１１  入口ＮＯｘ濃度計  １２  アンモニア流量発信器
１３  ＮＯｘ総量信号          
１４  出口ＮＯｘ一定制御を含むアンモニア要求量信号
１５，１１５  切換器          １７  比例積分演算器
１９  信号発生器              
２１  出口ＮＯｘ一定制御を含まないアンモニア要求量信号
２３  加算器                  ２５  モル比手動設定器
３２  絶対値演算器            ３３  判定器
３４  警報発信器              ３５  ボイラ負荷変化信号発生器
３６  負荷変化判定器
５０，６０  制御装置          ４１  アンモニア流量調節開度指令
【図１】
2015075277.tif 000003
【図２】
2015075277.tif 000004